(57)【要約】  【課題】肘部材及び背凭れが後傾動作可能であるとともに、座をこの後傾動作に追随して動作させることが可能な椅子において、背凭れからの荷重だけでなく肘当てからの荷重をも支持できるようにすべく、背支桿に背凭れ及び肘当てを同時に接続させることにより、この背支桿を大型かつ厚肉のものにする必要があるとともにこのような背支桿の形状が複雑になる不具合を解消する。  【解決手段】椅子Ｃに、椅子本体１と、この椅子本体１に通常位置Ｕから後傾位置Ｔまでの間で傾動し得るように支持させた左右の肘部材２、２と、これら肘部材２、２を通常位置Ｔ方向に弾性付勢する付勢機構３と、前記肘部材２、２の傾動端部に支持させた背凭れ４と、前端部を前記椅子本体１に支持させるとともに後端部を前記背凭れ４に支持させた座５とを具備する構成を採用する。  【選択図】図４
2008113939.tif 000002
【特許請求の範囲】
【請求項１】
椅子本体と、この椅子本体に通常位置から後傾位置までの間で傾動し得るように支持させた左右の肘部材と、これら肘部材を通常位置方向に弾性付勢する付勢機構と、前記肘部材の傾動端部に支持させた背凭れと、前端部を前記椅子本体に支持させるとともに後端部を前記背凭れに支持させた座とを具備してなることを特徴とする椅子。
【請求項２】
座の前端部を前記椅子本体にスライド支持機構を介して前後移動可能に支持させていることを特徴とする請求項１記載の椅子。
【請求項３】
前記付勢機構が、一端部を椅子本体に固定させてなる反力バネと、前記反力バネの他端部を当接させてなるとともに前記肘部材に反力バネの弾性力を伝達するバネ受舌片とを具備することを特徴とする請求項１又は２記載の椅子。
【請求項４】
前記左右の肘部材間に、これらを一体に接続する横架材を設けているものであって、前記横架材に前記バネ受舌片を設けていることを特徴とする請求項３記載の椅子。
【請求項５】
前記座の後端部を前記背凭れに吊持させてなることを特徴とする請求項１、２、３又は４記載の椅子。
【請求項６】
前記座が、座面を有する座本体と、この座本体の後端の左右隅部から起立させているとともに先端を前記背凭れの下端に枢着している左右一対の接合部とを具備することを特徴とする請求項５記載の椅子。
【請求項７】
前記背凭れが、椅子本体に対して着脱可能であることを特徴とする請求項１、２、３、４、５又は６記載の椅子。
【発明の詳細な説明】
【技術分野】
【０００１】
本発明は、肘部材及び背凭れが後傾動作可能であるとともに、座をこの後傾動作に追随して動作させることが可能な椅子に関する。
【背景技術】
【０００２】
近年、背凭れを通常位置と後傾位置との間で移動させることが可能であるとともに、背凭れの移動に追随して座を移動させることが可能な椅子が種々考えられている。このような椅子において、肘当て部を有する肘部材をさらに設け、この肘部材を背凭れと一体的に通常位置と後傾位置との間で移動させることを可能にすべく、椅子本体に回動可能に支持させた１本の背支桿を設け、背凭れを支持する背支桿に左右両側の肘部材の基部を接続するとともに、背凭れを通常位置方向に弾性付勢する付勢機構を設ける構成がさらに考えられている（例えば、特許文献１を参照）。
【特許文献１】特開２００２−１７２０４０号公報
【発明の開示】
【発明が解決しようとする課題】
【０００３】
しかして、前記請求項１記載の構成では、背支桿に背凭れ及び肘当てを同時に接続することになるので、背支桿の材料及び形状は、背凭れからの荷重を支持するだけでなく、肘当てからの荷重をも支持できるように構成する必要がある。その結果、強度を確保すべく背支桿を大型かつ厚肉のものにする必要があり、また、背凭れ及び肘当てを同時に接続させるために背支桿の形状が複雑になる不具合が存在する。
【０００４】
本発明は、以上に述べた課題を解決すべく構成するものである。
【課題を解決するための手段】
【０００５】
すなわち本発明に係る椅子は、椅子本体と、この椅子本体に通常位置から後傾位置までの間で傾動し得るように支持させた左右の肘部材と、これら肘部材を通常位置方向に弾性付勢する付勢機構と、前記肘部材の傾動端部に支持させた背凭れと、前端部を前記椅子本体に支持させるとともに後端部を前記背もたれに支持させた座とを具備してなることを特徴とする。
【０００６】
このようなものであれば、左右の肘部材自体に背凭れからの荷重を支持させるので、１本の背支桿に背凭れからの荷重を支持させる態様における背支桿が支持すべき荷重と比較して、個々の肘部材が支持すべき荷重は少なく、椅子全体としての設計の自由度を高めることができる。また、背凭れ及び肘部材の荷重を支持させるための特別な部品である背支桿が不要であるので、部品点数を削減し構造を簡素にすることができる。
【０００７】
このような椅子においてシンクロチルト動作を可能にするための構成として、座の前端部を前記椅子本体にスライド支持機構を介して前後移動可能に支持させているものが挙げられる。
【０００８】
このような椅子をより簡単な構成で実現するための構成として、前記付勢機構が、一端部を椅子本体に固定させてなる反力バネと、前記反力バネの他端部を当接させてなるとともに前記肘部材に反力バネの弾性力を伝達するバネ受舌片とを具備するものが挙げられる。このようなものであれば、反力バネ及びこの反力バネを固定させてなる椅子本体には、従来のこの種の椅子と同様ないし類似の構成を採用することができるからである。
【０００９】
前段で述べた椅子を最小の部品点数で実現するための構成として、前記左右の肘部材間に、これらを一体に接続する横架材を設けているものであって、前記横架材に前記バネ受舌片を設けているものが挙げられる。このようなものであれば、左右の肘部材、前記横架材、及びバネ受舌片を一体に形成しているので、前記付勢機構を構成する反力バネも１つのみ設ければよいからである。
【００１０】
背凭れと座とを関連させて移動させるように座を背凭れに支持させる態様の一例として、前記座の後端部を前記背凭れに吊持させてなるものが挙げられる。
【００１１】
前段で述べた構成を具体的に実現する構成の一例として、前記座が、座面を有する座本体と、この座本体の後端の左右隅部から起立させているとともに先端を前記背凭れの下端に枢着している左右一対の接合部とを具備するものが挙げられる。
【００１２】
そして、前記背凭れが、椅子本体に対して着脱可能であれば、例えば高さ寸法が異なる複数種の背凭れを同一の椅子本体に取り付けるようにする等、同一形状の椅子本体に、種々の形状の背凭れを取り付けるようにできるとともに、このような背凭れに支持させてなる座も種々用意し、多様な態様の椅子に対して椅子本体の設計を共通化できる。
【発明の効果】
【００１３】
本発明に係る椅子の構成によれば、左右の肘部材自体に背凭れからの荷重を支持させるので、１本の背支桿に背凭れからの荷重を支持させる態様における背支桿が支持すべき荷重と比較して、個々の肘部材が支持すべき荷重を少なくでき、椅子全体としての設計の自由度を高めることができる。そして、背凭れ及び肘部材の荷重を支持させるための特別な部品である背支桿が不要であるので、部品点数を削減し構造を簡素にすることができる。
【発明を実施するための最良の形態】
【００１４】
以下、本発明の第一実施形態を、図面を参照して説明する。
【００１５】
本実施形態に係る椅子Ｃは、図１ないし図５に示すように、椅子本体１と、この椅子本体１に通常位置Ｕから後傾位置Ｔまでの間で傾動し得るように支持させた左右の肘部材２、２と、これら肘部材２、２を通常位置Ｕ方向に弾性付勢する付勢機構３と、前記肘部材２、２の傾動端部に左右両端部をそれぞれ支持させた背凭れ４と、前端部を前記椅子本体１に支持させるとともに後端部を前記背凭れ４に支持させた座５とを具備する。なお、図１には全体斜視図、図２には正面図、図３には側面図、図４には中央側断面図、図５には分解斜視図をそれぞれ示している。
【００１６】
さらに詳述すると、前記椅子本体１は、前記図１ないし図５に示すように、また、図６にこの椅子本体１に前記肘部材２を組み付けた状態の側面図を示すように、床面から起立する脚１１と、この脚１１の上方に設けた基体１２とを具備する。前記脚１１は、略鉛直に起立する脚支柱１１１と、この脚支柱１１１を下方から支持する脚羽根１１２とを備えた、事務用回転椅子に広く用いられている脚として周知のものと同様の構成を有する。前記基体１２は、前記脚１１の上端近傍から斜め上方に延伸させて設けた、例えばアルミダイキャスト製の部材であり、その内部に前記付勢機構３を収納している。そしてこの基体１２に、上述したように前記肘部材２を傾動可能に支持させている。
【００１７】
前記左右の肘部材２、２は、本実施形態では、前記図２ないし図５に示すように、横架材６により一体に接続している。この横架材６は、前記椅子本体１の基体１２に左右両面に貫通させて設けた肘部材挿通孔１２ｘに挿通させている。一方、この肘部材２は、前記横架材６の側端から起立する起立部２１と、この起立部２１の上端から後方に延伸させて設けた肘当て部３２とを備えている。そして、肘部材２、２と前記横架材６とは、前記図４の実線に示す前記通常位置Ｕと前記図４の想像線に示す後傾位置Ｔとの間で一体に傾動する。
【００１８】
前記付勢機構３は、前記図４に示すように、前記基体１２内に収納してなる反力バネ３１と、この反力バネ３１の一端を固定すべく前記基体１２前部に設けたリテーナ３２と、前記反力バネ３１の他端に当接させ前記肘部材２に反力バネ３１の弾性力を伝達させるべく前記横架材６から下方に突出させて設けたバネ受舌片３３とを具備する。この付勢機構３は、前記肘部材が前記通常位置Ｕから前記後傾位置Ｔに移動すると、前記バネ受舌片３３が前方に移動し、このバネ受舌片３３に当接させた反力バネ３１が圧縮されるように構成している。そして、前記バネ受け舌片３３に反力バネ３１の弾性力を作用させて、肘部材２、２に対して前記後傾位置Ｔから前記通常位置Ｕに向かう方向に作用する反力を供給する。
【００１９】
前記背凭れ４は、背凭れ面４ａを有する背凭れ本体４１と、この背凭れ本体４１の左右両側縁部から延伸し前記肘部材２の肘当て部２２に挿脱可能に支持させてなる装着部４２とを有する。前記背凭れ面４ａは、本実施形態では前上方に向いていて、この背凭れ面４ａが荷重を受けると、装着部４２を介してこの荷重を前記肘部材２の肘当て部２２の傾動端に伝達する。そしてこの背凭れ４は、前記肘部材２とともに、前記図４の実線に示す前記通常位置Ｕと前記図４の想像線に示す後傾位置Ｔとの間で傾動する。
【００２０】
前記座５は、上述したように、背凭れ４に座吊持機構を介して後端部を吊持させてなるとともに、前端部は前記基体の前端にスライド支持機構を介して前後移動可能に支持させている。さらに詳述すると、この座５は、座面を有する座本体５１と、この座本体５１の後端部の両側縁から起立させて設けた左右１対の接合部５２、５２とを有する。前記座本体５１は、さらにクッション５１１と、このクッション５１１の下方に設けてなるシェル５１２とを備えている。前記シェル５１２の下面の前端部には、前記基体１２に設けたガイドピン（図示略）に前後スライド可能に係合させてなるガイド溝（図示略）を設けている。すなわち、これらガイドピン及びガイド溝によりスライド支持機構を形成している。一方、前記接合部５２は、基端部を前記シェル５１２に接続していて、先端部を背凭れ４の下端に水平方向に延伸する軸心周りに回動可能に枢着している。具体的には、背凭れ本体４１の下端の両側端に設けた座枢着部４１ｘにこの接合部５２の先端部を枢着している。すなわち、これら座枢着部４１ｘ及び接合部５２により座吊持機構を形成している。そしてこの座５は、前記肘部材２及び背凭れ４と連動して、前記図４の実線に示す通常位置Ｕと前記図４の想像線に示す後傾位置Ｔとの間で傾動する。
【００２１】
この椅子Ｃに着座すると、着座者の荷重は、背凭れ４及び座５が分散して受ける。しかして、背凭れ４が受けた荷重は肘部材２に伝達され、これら肘部材２及び背凭れ４は前記横架材６と一体的に通常位置Ｕから後傾位置Ｔに向けて後傾動作を行う。このとき、バネ受け舌片３３が反力バネ３１を押圧するので、反力バネ３１は肘部材２及び背凭れ４の後傾動作を受けてこれら肘部材２及び背凭れ４に反力を供給する。そして、背凭れ４が前記横架材６の軸心を回動中心として後傾動作を行うと、背凭れ４の下端は後方に移動し、前記座吊持機構によりこの背凭れ４の下端に後端部を吊持させた座５は、前記スライド支持機構によりスライド方向を案内されつつ後下方に移動する。
【００２２】
すなわち、本実施形態に係る椅子Ｃの構成によれば、左右の肘部材２、２自体に背凭れ４からの荷重を支持させるので、１本の背支桿に背凭れからの荷重を支持させる態様における背支桿が支持すべき荷重と比較して、個々の肘部材２、２が支持すべき荷重は少なく、椅子Ｃ全体としての設計の自由度を高めることができる。また、背凭れ４及び肘部材２、２の荷重を支持させるための特別な部品である背支桿が不要であるので、部品点数を削減し構造を簡素にすることができる。
【００２３】
また、座５の前端部を椅子本体１にスライド支持機構ＳＨを介して前後移動可能に支持させているので、シンクロチルト動作が可能である。
【００２４】
さらに、前記付勢機構３が一端部を椅子本体１に固定させてなる反力バネ３１と、前記肘部材２、２にこの反力バネ３１の弾性力を伝達させるべく前記反力バネ３１の他端部を当接させてなるバネ受舌片３３とを具備するので、反力バネ３１及びこの反力バネ３１を固定させてなる椅子本体１には、従来のこの種の椅子と同様ないし類似の構成を採用し、このような椅子Ｃをより簡単な構成で実現することができる。
【００２５】
加えて、前記左右の肘部材２、２間に、これらを一体に接続する横架材６を設けているとともに、この横架材６に前記バネ受舌片３３を設け、左右の肘部材２、２、前記横架材６、及びバネ受舌片３３を一体に形成しているので、前記付勢機構３を構成する反力バネ３１も１つのみ設ければよく、前段で述べたような構成を最小の部品点数で実現することができる。
【００２６】
また、前記座５の後端部を前記背凭れ４に吊持させてなるので、背凭れ４と座５とを関連させて移動させるように座を背凭れに支持しつつ、背凭れ面４ａと座面５ａとの間の角度を変更可能にして背凭れ４と座５とを違和感なく連動させることができる。
【００２７】
さらに、前記座５が、座面５ａを有する座本体５１と、この座本体５１の後端の左右隅部から起立させているとともに先端を前記背凭れ４の下端に枢着している左右一対の接合部５２とを具備するので、上述した構成を簡単な構成で実現できる。
【００２８】
そして、前記背凭れ４が、椅子本体１に対して着脱可能であるので、例えば高さ寸法が異なる複数種の背凭れ４を同一の椅子本体１に取り付けるようにする等、同一形状の椅子本体１に、種々の形状の背凭れ４を取り付けるようにできるとともに、このような背凭れ４に支持させてなる座５も種々用意し、多様な態様の椅子Ｃに対して椅子本体１の設計を共通化できる。
【００２９】
なお、本発明は以上に述べた実施形態に限られない。
【００３０】
例えば、背凭れは肘部材に対して着脱可能である必要はなく、背凭れを肘部材に固着したものであっても良い。
【００３１】
また、付勢機構は上述した圧縮コイルばねを利用したものでなくてよく、例えば肘部材又は横架材に一端部を固定したねじりコイルばねを使用したものであっても良い。
【００３２】
さらに、横架材を介して左右の肘部材を一体に連結する必要はなく、左右の肘部材それぞれに付勢機構を接続するようにしても良い。
【００３３】
加えて、座は必ずしも上述した実施形態のように両端部を背凭れに吊持させる必要はなく、例えば背凭れと座とを一体に構成したものであってもよい。さらに、座を背凭れに吊持させる態様であっても、上述した実施形態のように両側後端部に上方に突出させて設けた接合部を用いる態様でなく、例えば背凭れと座との間に幅方向略全域に亘る枢着軸を設けるようにしてもよい。
【００３４】
そして、座の先端部は上述した以外の構成により椅子本体に対してスライド移動可能に支持させるようにしてもよい。
【００３５】
その他、本発明の趣旨を逸脱しない範囲で種々変形が可能である。
【図面の簡単な説明】
【００３６】
【図１】本発明の一実施形態に係る椅子を示す全体斜視図。
【図２】同実施形態に係る椅子を示す正面図。
【図３】同実施形態に係る椅子を示す側面図。
【図４】同実施形態に係る椅子を示す中央側断面図。
【図５】同実施形態に係る椅子を示す分解斜視図。
【図６】同実施形態に係る椅子の椅子本体に肘部材を組み付けた状態の側面図。
【符号の説明】
【００３７】
Ｃ…椅子
１…椅子本体
２…肘部材
３…付勢機構
４…背凭れ
５…座
【図１】
2008113939.tif 000003
【図２】
2008113939.tif 000004
【図３】
2008113939.tif 000005
【図４】
2008113939.tif 000006
【図５】
2008113939.tif 000007
【図６】
2008113939.tif 000008